(57)【要約】【課題】適正に運転を評価することができる運転評価装置を提供することを目的とする。【解決手段】車両１０の加速走行と惰性走行とを繰り返す走行の目標となる理想目標に応じた理想目標値と、車両１０に対する実際の操作に応じた実操作値との比較に基づいて、前記操作に応じた運転を評価することを特徴とする。したがって、適正に運転を評価することができる運転評価装置１、２０１、３０１、４０１、５０１、６０１を提供することができ、例えば、走行計画に基づき運転者が運転する際の利便性を向上することができる。【選択図】図１
2012006485.tif 000002
【特許請求の範囲】
【請求項１】
車両の加速走行と惰性走行とを繰り返す走行の目標となる理想目標に応じた理想目標値と、前記車両に対する実際の操作に応じた実操作値との比較に基づいて、前記操作に応じた運転を評価することを特徴とする、
運転評価装置。
【請求項２】
前記理想目標に応じて区間分けされる理想目標所定区間における前記理想目標値と、前記車両に対する実際の操作に応じて区間分けされる実操作所定区間における前記実操作値との比較に基づいて、前記操作に応じた運転を評価する、
請求項１に記載の運転評価装置。
【請求項３】
前記理想目標値に対する前記実操作値の乖離度を累積した値に基づいて前記操作に応じた運転を評価する、
請求項１又は請求項２に記載の運転評価装置。
【請求項４】
前記理想目標値は、前記理想目標に応じた前記車両の目標速度及び目標加速度を含み、
前記実操作値は、前記車両に対する実際の操作に応じた前記車両の実速度及び実加速度を含む、
請求項１乃至請求項３のいずれか１項に記載の運転評価装置。
【請求項５】
前記理想目標に応じた前記車両の目標速度と前記車両に対する実際の操作に応じた前記車両の実速度との速度偏差と、前記車両に対する実際の操作に応じた前記車両の加速効率とに基づいて、前記操作に応じた運転を評価する、
請求項１乃至請求項４のいずれか１項に記載の運転評価装置。
【請求項６】
前記車両の状態に応じて、前記速度偏差と前記加速効率とに重み付けをし、当該重み付けした後の前記速度偏差と前記加速効率とに基づいて、前記操作に応じた運転を評価する、
請求項５に記載の運転評価装置。
【請求項７】
前記理想目標値は、前記理想目標に応じて前記車両の加速時に発生する目標加速エネルギ及び前記車両の減速時に損失する目標減速エネルギを含み、
前記実操作値は、前記車両に対する実際の操作に応じて前記車両の加速時に発生する実加速エネルギ及び前記車両の減速時に損失する実減速エネルギを含む、
請求項１乃至請求項６のいずれか１項に記載の運転評価装置。
【請求項８】
前記理想目標値は、前記理想目標に応じて、前記車両の走行を実現する複数のアクチュエータ毎に発生又は損失する目標エネルギを含み、
前記実操作値は、前記車両に対する実際の操作に応じて、前記複数のアクチュエータ毎に発生又は損失する実エネルギを含む、
請求項１乃至請求項７のいずれか１項に記載の運転評価装置。
【請求項９】
前記アクチュエータの動作状態に応じて前記実エネルギを補正する、
請求項８に記載の運転評価装置。
【請求項１０】
前記アクチュエータの種類に応じて前記実エネルギを補正する、
請求項８又は請求項９に記載の運転評価装置。
【請求項１１】
前記評価を通知する通知装置を備える、
請求項１乃至請求項１０のいずれか１項に記載の運転評価装置。
【発明の詳細な説明】
【技術分野】
【０００１】
本発明は、運転評価装置に関する。
【背景技術】
【０００２】
従来の車両に適用される装置として、例えば、特許文献１には車両の走行時における運転の容易性を向上させたり、運転者による運転操作の負担を軽減したりするための走行制御計画生成システムが開示されている。この走行制御計画生成システムは、自車両の走行軌跡や速度パターン、さらには周囲の車両の走行軌跡を踏まえて走行計画を行うことにより、自車両の走行方針を満足しつつ、周辺環境の状況変化に柔軟に対応した走行を可能とする。 
【先行技術文献】
【特許文献】
【０００３】
【特許文献１】特開２００８−１２９８０４号公報
【発明の概要】
【発明が解決しようとする課題】
【０００４】
ところで、上述のような特許文献１に記載されている走行制御計画生成システムは、例えば、走行計画に基づき運転者が運転する際の利便性の向上等の要求から、より適正な運転評価の点でさらなる改善の余地がある。
【０００５】
本発明は、上記の事情に鑑みてなされたものであって、適正に運転を評価することができる運転評価装置を提供することを目的とする。
【課題を解決するための手段】
【０００６】
上記目的を達成するために、本発明に係る運転評価装置は、車両の加速走行と惰性走行とを繰り返す走行の目標となる理想目標に応じた理想目標値と、前記車両に対する実際の操作に応じた実操作値との比較に基づいて、前記操作に応じた運転を評価することを特徴とする。
【０００７】
また、上記運転評価装置では、前記理想目標に応じて区間分けされる理想目標所定区間における前記理想目標値と、前記車両に対する実際の操作に応じて区間分けされる実操作所定区間における前記実操作値との比較に基づいて、前記操作に応じた運転を評価するものとすることができる。
【０００８】
また、上記運転評価装置では、前記理想目標値に対する前記実操作値の乖離度を累積した値に基づいて前記操作に応じた運転を評価するものとすることができる。
【０００９】
また、上記運転評価装置では、前記理想目標値は、前記理想目標に応じた前記車両の目標速度及び目標加速度を含み、前記実操作値は、前記車両に対する実際の操作に応じた前記車両の実速度及び実加速度を含むものとすることができる。
【００１０】
また、上記運転評価装置では、前記理想目標に応じた前記車両の目標速度と前記車両に対する実際の操作に応じた前記車両の実速度との速度偏差と、前記車両に対する実際の操作に応じた前記車両の加速効率とに基づいて、前記操作に応じた運転を評価するものとすることができる。
【００１１】
また、上記運転評価装置では、前記車両の状態に応じて、前記速度偏差と前記加速効率とに重み付けをし、当該重み付けした後の前記速度偏差と前記加速効率とに基づいて、前記操作に応じた運転を評価するものとすることができる。
【００１２】
また、上記運転評価装置では、前記理想目標値は、前記理想目標に応じて前記車両の加速時に発生する目標加速エネルギ及び前記車両の減速時に損失する目標減速エネルギを含み、前記実操作値は、前記車両に対する実際の操作に応じて前記車両の加速時に発生する実加速エネルギ及び前記車両の減速時に損失する実減速エネルギを含むものとすることができる。
【００１３】
また、上記運転評価装置では、前記理想目標値は、前記理想目標に応じて、前記車両の走行を実現する複数のアクチュエータ毎に発生又は損失する目標エネルギを含み、前記実操作値は、前記車両に対する実際の操作に応じて、前記複数のアクチュエータ毎に発生又は損失する実エネルギを含むものとすることができる。
【００１４】
また、上記運転評価装置では、前記アクチュエータの動作状態に応じて前記実エネルギを補正するものとすることができる。
【００１５】
また、上記運転評価装置では、前記アクチュエータの種類に応じて前記実エネルギを補正するものとすることができる。
【００１６】
また、上記運転評価装置では、前記評価を通知する通知装置を備えるものとすることができる。
【発明の効果】
【００１７】
本発明に係る運転評価装置は、適正に運転を評価することができる、という効果を奏する。
【図面の簡単な説明】
【００１８】
【図１】図１は、運転評価装置の概略構成を示す模式的ブロック図である。
【図２】図２は、目標速度と実速度との比較の一例を表す線図である。
【図３】図３は、目標加（減）速度と実加（減）速度との比較の一例を表す線図である。
【図４】図４は、理想目標と運転者の実際の操作とが大きく異なる場合を表す線図である。
【図５】図５は、インジケータで表示する瞬時評価結果の一例である。
【図６】図６は、表示装置で表示する区間評価結果の一例である。
【図７】図７は、表示装置で表示する全体評価結果の一例である。
【図８】図８は、運転評価装置における運転評価制御の一例を表すフローチャートである。
【図９】図９は、目標速度と実速度との比較の一例を表す線図である。
【図１０】図１０は、速度差と評価値との関係の一例を表す線図である。
【図１１】図１１は、エンジン回転数、エンジントルクと加速効率との関係を表す加速効率マップの一例である。
【図１２】図１２は、最高加速効率における車速と加速度との関係を表す加速効率マップの一例である。
【図１３】図１３は、運転評価装置における運転評価制御の一例を表すフローチャートである。
【図１４】図１４は、エネルギの計算を説明するための線図である。
【図１５】図１５は、運転評価装置におけるエネルギの切り分け制御の一例を表すフローチャートである。
【図１６】図１６は、表示装置で表示する評価結果の一例である。
【図１７】図１７は、運転評価装置におけるエネルギの切り分け制御の一例を表すフローチャートである。
【図１８】図１８は、表示装置で表示する評価結果の一例である。
【図１９】図１９は、表示装置で表示する評価結果の一例である。
【図２０】図２０は、エンジン回転数、エンジントルクと加速効率ロスとの関係を表す加速効率ロスマップである。
【図２１】図２１は、加速効率ロスにおける評点マップである。
【図２２】図２２は、減速時の評価における評点マップである。
【図２３】図２３は、減速時の評価における評点マップである。
【図２４】図２４は、評価結果出力装置で出力するアドバイスの例を説明する図である。
【図２５】図２５は、表示装置で表示する評価結果の一例である。
【発明を実施するための形態】
【００１９】
以下に、本発明に係る運転評価装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００２０】
［実施形態１］
図１は、運転評価装置の概略構成を示す模式的ブロック図、図２は、目標速度と実速度との比較の一例を表す線図、図３は、目標加（減）速度と実加（減）速度との比較の一例を表す線図、図４は、理想目標と運転者の実際の操作とが大きく異なる場合を表す線図、図５は、インジケータで表示する瞬時評価結果の一例、図６は、表示装置で表示する区間評価結果の一例、図７は、表示装置で表示する全体評価結果の一例、図８は、運転評価装置における運転評価制御の一例を表すフローチャートである。
【００２１】
図１に示すように、本実施形態の運転評価装置１は、典型的には、車両１０に搭載され、運転者による車両１０の運転を評価するものである。運転評価装置１は、例えば、所定の走行区間において、理想目標に応じた理想的な操作と運転者の実際の操作とを比較し運転評価を行う。これにより、この運転評価装置１は、例えば、運転者の低燃費運転評価として、運転者による瞬時的なアクセル操作やブレーキ操作を評価するいわゆるエコインジケータや運転履歴等から総合的に運転者の運転を評価する場合などでは、評価する走行状況における必然的な操作と無駄な操作との区別ができないような場合であっても、より適正な運転評価を行うことができるものである。
【００２２】
具体的には、図１に示すように、運転評価装置１は、状態検出装置２と、目標軌跡生成装置３と、評価演算装置４と、通知装置としての評価結果出力装置５とを備える。
【００２３】
なお、目標軌跡生成装置３、評価演算装置４は、例えば、ＣＰＵ、ＲＯＭ、ＲＡＭ及びインターフェースを含む周知のマイクロコンピュータを主体とする電子回路である。目標軌跡生成装置３、評価演算装置４は、例えば、この運転評価装置１を搭載する車両１０の各部を制御するＥＣＵと電気的に接続され、このＥＣＵを介して相互に検出信号や駆動信号、制御指令等の情報の授受を行う構成としてもよいし、あるいは、このＥＣＵと一体で構成されてもよい。すなわち、目標軌跡生成装置３、評価演算装置４は、ＥＣＵによって兼用されてもよい。
【００２４】
状態検出装置２は、運転評価装置１が搭載されている車両１０の状態や先読み情報等を検出するものであり、各種センサなどを含んで構成される。状態検出装置２は、車両１０に搭載される種々のアクチュエータ６や目標軌跡生成装置３、評価演算装置４に電気的に接続されており、相互に種々の信号や制御指令等の情報の授受を行うことができる。ここでの状態検出装置２は、先読み情報取得部２１、運転状態取得部２２、運転操作取得部２３等を含んで構成される。
【００２５】
先読み情報取得部２１は、先読み情報を取得する。先読み情報取得部２１は、例えば、車載カメラ、レーダ、ＧＰＳ装置、ナビゲーション装置、車車間通信機器、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ：道路交通情報通信システム）センタなどからの情報を受信する装置などによって構成される。先読み情報取得部２１は、例えば、先行車両情報、後続車両情報、道路勾配情報、路面状態情報、道路形状情報、信号情報、制限車速情報、道路曲率情報、工事・交通規制情報、渋滞情報、緊急車両情報、事故履歴データベースに関する情報等のいずれかを含む先読み情報を取得する。
【００２６】
運転状態取得部２２は、車両１０の運転状態に関する情報を取得する。運転状態取得部２２は、例えば、種々のセンサなどを含んで構成される。運転状態取得部２２は、例えば、車両１０に搭載される種々のアクチュエータ６の運転の状態や車両１０の車輪速、速度（車速）、ヨーレート、加速度、減速度、操舵角等の車両１０の自車状態量を表す情報を取得する。
【００２７】
ここで、車両１０の走行を実現する種々のアクチュエータ６は、例えば、燃料を燃焼させることで車両１０に駆動力を発生させる走行用駆動源として機能するエンジン６１、力行により車両１０に駆動力を発生させる走行用駆動源及び回生により車両１０に制動力を発生させる回生装置として機能するモータジェネレータ（以下、特に断りのない限り単に「ＭＧ」と略記する）６２、エンジン６１やＭＧ６２による回転出力を変速する変速機６３、油圧により車両１０に制動力を発生させる油圧ブレーキ装置６４、蓄電可能な蓄電装置として機能するバッテリ６５等を含んで構成される。運転状態取得部２２は、これらアクチュエータ６の作動状態も適宜取得する。アクチュエータ６は、例えば、この他にも不図示のＥＰＳ（Ｅｌｅｃｔｒｉｃ  Ｐｏｗｅｒ  Ｓｔｅｅｒｉｎｇ）装置やＶＧＲＳ（Ｖａｒｉａｂｌｅ  Ｇｅａｒ  Ｒａｔｉｏ  Ｓｔｅｅｒｉｎｇ）装置などを含んでいてもよい。
【００２８】
運転操作取得部２３は、運転者による車両１０に対する入力（ドライバ入力）、すなわち、運転者による車両１０に対する実際の操作に関する情報を取得する。運転操作取得部２３は、例えば、アクセル開度センサやブレーキペダルセンサなどを含んで構成される。運転操作取得部２３は、例えば、加速要求操作としてのアクセル操作の操作量（例えば、アクセル開度）に関する情報、減速要求操作としてのブレーキ操作の操作量（例えば、ブレーキペダル踏力）などの運転者の実際の運転操作を表す情報を取得する。また、運転操作取得部２３は、例えば、現在のアクセル操作の操作量、ブレーキ操作の操作量、車速等に基づいて、現在、運転者が車両１０に要求している加減速度であるドライバ要求加減速度を演算することもできる。このドライバ要求加減速度は、例えば、運転者が今現在、どれぐらいの加減速度を要求しているのかを示す物理量に相当する。
【００２９】
目標軌跡生成装置３は、状態検出装置２が検出した情報に基づいて、種々の公知の手法を用いて車両１０の走行の目標となる理想目標を生成する。
【００３０】
本実施形態の車両１０の走行の目標となる理想目標とは、車両１０の加速走行と惰性走行とを繰り返す走行、典型的にはいわゆるフリーランを含む走行の目標となる理想的な走行である。さらに言えば、車両１０の走行の目標となる理想目標とは、例えば、燃費（単位走行距離における燃料消費量）の向上のため、車両１０の走行用駆動源としてのエンジン６１、ＭＧ６２等での燃料、電力等の消費を停止しこの車両１０を惰性走行させるいわゆるフリーラン（滑空、惰性走行）が反映された燃費走行であり、加速走行と惰性走行とを交互に繰り返す等、理想的な燃費性能を実現できる走行である。
【００３１】
言い換えれば、上記車両１０の理想目標は、車両１０の燃費走行に対して最適となる理想の走行の目標であり、基本的には車両１０の走行の出発点から終点までの車両１０の目標軌跡と、燃費向上のうえでこの軌跡における理想の目標速度パターン、目標加速度パターン（例えば、特定の位置に応じて関連付けられた目標の速度パターン、目標の加速度パターン）等からなる。目標軌跡生成装置３は、例えば、先読み情報取得部２１が取得する先読み情報等に応じて走行計画を作成し、車両１０の理想の目標軌跡、目標速度パターン、目標加速度パターンを生成する。
【００３２】
目標軌跡生成装置３は、例えば、運転者の希望、車両１０側のパワートレーン条件、走行状況等の所定の目標タスクを与えた場合に、その中で燃費走行において最適と評価される結果を導き出すロジックを含んで構成される。目標軌跡生成装置３は、例えば、そのロジック演算によって車両１０の理想的な目標軌跡と、この軌跡における理想の目標速度パターン、目標加速度パターン等が得られる。一例として、目標軌跡生成装置３は、例えば、所定のゴール地点と希望の到着時間を設定した場合、その条件を満たす範囲で、最も燃費が良いと評価された速度パターン、加速度パターンを車両１０の目標速度パターン、目標加速度パターンとする。
【００３３】
なお、目標軌跡生成装置３は、上記の例示に限らず、例えば、不図示の入力装置を介して手動にて車両１０の理想的な目標速度パターン、目標加速度パターンを入力したり、データベースに蓄積したりして、最適化などの処理により車両１０の理想の目標軌跡、目標速度パターン、目標加速度パターン等を演算するものであってもよい。目標軌跡生成装置３は、一例として、道路形状情報（コーナー曲率、路面μ情報、勾配など）と、運転者の希望するタスク（旅行時間（希望到達時間）、最大Ｇなど）、周辺環境条件（周辺車両、信号、渋滞有無など）が与えられた場合、その中で燃費最適と評価される結果を導くロジックによって、目標軌跡、目標速度、目標加速度等の走行パターンを得る。
【００３４】
評価演算装置４は、車両１０の走行の理想目標と、車両１０に対する運転者の実際の操作との比較に基づいて、運転者の操作に応じた運転（以下、これを単に「運転者の運転」という場合がある。）を評価する。評価演算装置４は、目標軌跡生成装置３が生成した車両１０の走行の理想目標に応じた理想目標値と、状態検出装置２の運転操作取得部２３などが検出する車両１０に対する実際の操作に応じた実操作値とを取得し、理想目標値と実操作値との比較に基づいて、運転者の運転を評価する。
【００３５】
ここでは、理想目標値は、例えば、上述した理想目標に応じた車両１０の目標速度及び目標加速度を含み、実操作値は、車両１０に対する運転者の実際の操作に応じた車両１０の実速度及び実加速度を含む。つまりここでは、評価演算装置４は、少なくとも速度と加速度の２つのパラメータを用いて運転を評価する。すなわち、評価演算装置４は、理想目標値である車両１０の目標速度と実操作値である車両の実速度との比較、及び、理想目標値である車両１０の目標加速度と実操作値である車両１０の実加速度との比較に基づいて、運転者の運転を評価する。
【００３６】
さらに言えば、評価演算装置４は、理想目標（その走行状況における最適な走り方）と実際の操作に応じた運転（実際の走り方）との比較を行い、適切なタイミング（例えば、運転者の操作区間の終了毎や１トリップ全体の終了毎）で具体的な運転者の運転評価を行う。ここでは、評価演算装置４は、少なくとも、理想目標に応じて区間分けされる理想目標所定区間における理想目標値と、車両１０に対する実際の操作に応じて区間分けされる実操作所定区間における実操作値との比較に基づいて、運転者の操作に応じた運転を評価する。
【００３７】
具体的には、評価演算装置４は、機能概念的に、理想目標解析部４１、実操作解析部４２、比較評価部４３、出力制御部４４などを含んで構成される。
【００３８】
理想目標解析部４１は、目標軌跡生成装置３が生成した理想目標の解析を行う。理想目標解析部４１は、理想目標における走行の区間分けを行う。理想目標解析部４１は、理想目標に応じて理想目標所定区間を区間分けする。理想目標解析部４１は、目標軌跡生成装置３が生成した目標軌跡、目標速度、目標加速度等に応じた走行パターンを、運転者に対する明示的な区間として、理想目標所定区間ごとに区分けする。運転者に対する明示的な理想目標所定区間としては、例えば、理想目標における加速走行区間、定常走行区間、減速走行（惰性走行）区間（あるいは発進から停止までの１区間）などがある。つまり、目標軌跡生成装置３が生成した目標軌跡は、目標速度、目標加速度等に応じて加速走行区間、定常走行区間、減速走行区間などの理想目標所定区間に区分けされ、抽出される。
【００３９】
そして、理想目標解析部４１は、目標軌跡生成装置３が生成した目標軌跡、目標速度、目標加速度等の理想目標の走行パターンから、加速走行区間、定常走行区間、減速走行区間などに区分けされた各理想目標所定区間のリファレンスデータを抽出する。理想目標解析部４１は、例えば、理想目標所定区間における理想目標値として、各理想目標所定区間に入るタイミングと速度、区間ごとの目標速度（最大速度、最小速度）、最大加減速度、理想燃料消費量などのリファレンスデータを抽出する。
【００４０】
実操作解析部４２は、状態検出装置２の運転操作取得部２３などが検出する運転者による車両１０に対する実際の操作の解析を行う。実操作解析部４２は、運転者による車両１０に対する実際の操作に応じた走行の区間分けを行う。実操作解析部４２は、運転操作取得部２３が取得した実速度、実加速度等に応じた走行パターンを、実操作所定区間ごとに区分けする。実操作所定区間としては、例えば、上記の理想目標所定区間に対応して、実際の操作に応じた運転における加速走行区間、定常走行区間、減速走行区間（あるいは発進から停止までの１区間）などがある。つまり、運転者による車両１０に対する実際の操作に応じた実際の走行軌跡は、実速度、実加速度等に応じて加速走行区間、定常走行区間、減速走行区間などの実操作所定区間に区分けされ、抽出される。
【００４１】
一例として、実操作解析部４２は、１回のアクセル操作のＯＮからＯＦＦまでの区間を１つの実操作所定区間として特定し、特定した実操作所定区間における実速度、実加速度等に基づいて加速走行区間、定常走行区間、減速走行（惰性走行）区間のいずれかに区分けする。なお、実操作解析部４２は、例えば、１回の加速の山、すなわち、アクセル操作ＯＮからアクセル操作ＯＦＦの後、エンジンブレーキやブレーキ操作などを介して次のアクセル操作ＯＮまでの区間を１つの実操作所定区間として特定してもよいし、運転操作取得部２３が演算するドライバ要求加減速度に応じて１つの実操作所定区間を特定してもよい。実操作解析部４２は、例えば、ドライバ要求加減速度に応じて実操作所定区間を特定する場合、ドライバ要求加減速度が正（ドライバ要求加減速度＞α）であれば加速走行区間、負（ドライバ要求加減速度＜−α）であれば減速走行区間、ゼロ付近（ドライバ要求加減速度＜｜α｜）であれば定常走行区間、などとして各実操作所定区間を特定し、抽出する。実操作解析部４２は、基本的には理想目標解析部４１によって区分けされる理想目標所定区間と対応するような形式で、運転者の操作に応じて１つの実操作所定区間を区分けすればよい。
【００４２】
そして、実操作解析部４２は、取得した実速度、実加速度等の運転者による実際の操作に応じた運転の走行パターンから、加速走行区間、定常走行区間、減速走行区間などに区分けされた各実操作所定区間における実際の操作に応じた比較データを抽出する。実操作解析部４２は、上記の理想目標値に対応して、例えば、実操作所定区間における実操作値として、各実操作所定区間が始まる実際のタイミングと速度、区間ごとの実速度（最大速度、最小速度）、最大加減速度、燃料消費量などの比較データを解析する。
【００４３】
比較評価部４３は、理想目標と実際の操作に応じた運転との比較により、運転者の操作に応じた運転を評価する。比較評価部４３は、理想目標解析部４１が解析した理想目標値と実操作解析部４２が解析した実操作値との比較により、運転者の運転を評価する。
【００４４】
出力制御部４４は、比較評価部４３による評価の結果を評価結果出力装置５に出力する。
【００４５】
そして、評価結果出力装置５は、評価演算装置４による運転の評価結果を出力する。評価結果出力装置５は、運転の評価結果を視覚及び／又は聴覚で認識可能に出力する。評価結果出力装置５は、例えば、視覚情報を伝えるインジケータ５１、ナビゲーション装置に付属しているＬＣＤ画面等の表示装置５２、音声、警告音等の聴覚情報を発するスピーカやブザーなどの音声出力装置５３等を含んで構成される。なお、評価結果出力装置５は、ハンドル振動、座席振動、ペダル反力などの触覚情報を出力する不図示の触覚情報出力装置等を含んで構成されてもよい。
【００４６】
ここでは、比較評価部４３は、瞬時的な評価や総合的な評価だけでなく、理想目標解析部４１、実操作解析部４２によって区分けされた各区間の評価を適宜行い、出力制御部４４は、各区間における評価を適宜のタイミング、例えば、各区間が終わったタイミングで評価結果出力装置５に出力する。これにより、この運転評価装置１は、上述したように、瞬時的な評価や総合的な評価では困難であった評価、例えば、評価する走行状況における必然的な操作と無駄な操作との区別が可能となる。
【００４７】
なお、この運転評価装置１は、理想目標解析部４１、実操作解析部４２によって区分けされた各区間の区分けの仕方によって、より細かな区間評価を行ったり、逆により大雑把な区間評価を行ったりなどの調節を行うことができる。例えば、より単純な区間評価を行う場合には、理想目標解析部４１、実操作解析部４２は、目標軌跡、実際の走行軌跡を加速走行区間と減速走行区間の２つに区分する。また、例えば、より詳細な区間評価を行う場合には、理想目標解析部４１、実操作解析部４２は、区分けする区間として、さらに定常走行区間や発進から停止までの１区間なども加える。
【００４８】
比較評価部４３は、具体的には、瞬時評価部４５、区間評価部４６、全体評価部４７などを含んで構成される。
【００４９】
瞬時評価部４５は、運転者の操作に応じた運転の瞬時的な評価を行う。瞬時評価部４５は、評価を行う時点での瞬間的な理想目標値と実操作値とを比較し、比較結果に基づいて運転者の操作に応じた運転を評価する。すなわち、瞬時評価部４５は、評価を行うその時点での目標速度、目標加速度等と実速度、実加速度等とを比較し、比較結果に応じてアクセル操作やブレーキ操作の必要性や適否などを評価する。この結果、運転評価装置１は、評価を行うその瞬間において運転者のアクセル操作やブレーキ操作が必要であるかどうかや操作自体が適切であるかどうか等を評価することができる。例えば、瞬時評価部４５は、瞬時評価として、評価を行うその時点での目標速度に対して実速度が小さければ、運転者の運転の評価として、アクセル操作の操作量の増加（アクセルペダルの踏み込み）が必要である旨の評価を行う。
【００５０】
区間評価部４６は、運転者の操作に応じた運転の各区間における評価を行う。区間評価部４６は、理想目標解析部４１によって区分けされた各理想目標所定区間における理想目標値と、実操作解析部４２によって区分けされた各実操作所定区間における実操作値とをそれぞれ比較し、各区間の評価をそれぞれ行う。すなわち、区間評価部４６は、各理想目標所定区間における目標速度、目標加速度等と各実操作所定区間における実速度、実加速度等とを比較し、比較結果に応じてアクセル操作やブレーキ操作の必要性や適否を評価する。
【００５１】
区間評価部４６は、一例として、各区間における目標速度と実速度との乖離度、各区間に入るタイミングとそのときの速度、アクセル操作に応じた目標加速度と実加速度との乖離度、ブレーキ操作に応じた目標減速度（負の加速度）と実減速度との乖離度などの指標を用いて、各理想目標所定区間を基準として、実操作所定区間ごとに運転者の実際の操作に応じた運転を評価する。
【００５２】
例えば、区間評価部４６は、区間評価として、理想目標値（目標速度、目標加（減）速度）に対する実操作値（実速度、実加（減）速度）の乖離度を累積した値を算出し、この乖離度を累積した値に基づいて運転者の実際の操作に応じた運転を評価する。上記種々の乖離度の計算は、例えば、理想目標値と実操作値との差分をそのまま積分して図２、図３等で例示するような面積部分を計算したり、理想目標値に対する実操作値の割合を百分率で計算したりするなどして行うことができる。
【００５３】
例えば、区間評価部４６は、図２に例示する面積部分を計算することで、各区間において目標速度と実速度との乖離度を累積した値を算出する。そして、区間評価部４６は、例えば、「目標速度−実速度」の差分が正のものを累積した値（図２中Ｓ２１に相当）に応じて、この区間ではこの分だけ実速度が不足していた、と評価する。また、区間評価部４６は、例えば、「目標速度−実速度」の差分が負のものを累積した値（図２中Ｓ２２に相当）に応じて、この区間ではこの分だけ実速度が高すぎた、と評価する。また、区間評価部４６は、例えば、「目標速度−実速度」の差分の絶対値を累積した値に応じて、この区間ではこの分だけ目標速度に対して実速度が乖離していた、と評価する。
【００５４】
また、例えば、区間評価部４６は、各区間に入るタイミングとそのときの実速度を理想目標におけるタイミングと目標速度と比較して、加減速タイミングや速度を評価する（図２参照）。これにより、運転評価装置１は、運転者がどのような走りが理想的なのかをより好適にイメージさせることができるようになる。
【００５５】
また、例えば、区間評価部４６は、図３に例示する面積部分を計算することで、各区間において目標加（減）速度と実加（減）速度との乖離度を累積した値を算出し運転者のアクセル操作やブレーキ操作を評価する。そして、区間評価部４６は、例えば、「目標加（減）速度−実加（減）速度」の差分が正のものを累積した値（図３中Ｓ３１に相当）に応じて、この分だけこの区間での加（減）速が不足していた、と評価する。また、区間評価部４６は、例えば、「目標加（減）速度−実加（減）速度」の差分が負のものを累積した値（図３中Ｓ３２に相当）に応じて、この分だけこの区間で加（減）速しすぎていた、と評価する。また、区間評価部４６は、例えば、「目標加（減）速度−実加（減）速度」の差分の絶対値を累積した値に応じて、この分だけこの区間で目標加（減）速度に対して実加（減）速度が乖離していた、と評価する。
【００５６】
なお、区間評価部４６は、例えば、図４に例示するように、理想目標と運転者の実際の操作とが大きく異なり、目標速度に対して実速度が大きく乖離してしまっているような場合には、理想目標における理想燃料消費量に対する実際の燃料消費量などからこの区間における運転者の操作の必要性や適否を評価するとよい。区間評価部４６は、例えば、図４のように、車両１０が赤信号などで停止する必要があり、理想目標では減速走行（惰性走行）区間であるのに、実際には定常走行区間として無駄に走行してしまった場合には、この区間での理想燃料消費量と実際の燃料消費量との関係から必要性の度合い、すなわち、どの程度無駄な走行であったかを評価するとよい。
【００５７】
全体評価部４７は、運転者の操作に応じた運転の走行全体における評価を行う。全体評価部４７は、区間評価部４６による各区間の評価を走行全体、例えば、１トリップ（出発地点から目標地点までの走行）で１つのまとまった単位で取りまとめて、全体評価を行う。全体評価部４７は、例えば、運転者の操作に応じた走行履歴などと照らし合わせることで種々の操作の因果関係を評価することもできる。
【００５８】
全体評価部４７は、例えば、全体評価に用いる実操作値として、状態検出装置２等から走行距離、平均速度、燃費（燃料消費量）等の一般的な評価指標や停止回数、加減速回数、各区間の出現回数、減速中のブレーキ操作回数、加減速時間、減速時間中のフューエルカット時間（フリーラン時間）、エンジンブレーキ使用頻度等を取得、演算する。全体評価部４７は、これらの指標を用いて、１トリップ走行全体において、実際にはどんなような運転であったかを評価する。
【００５９】
また、全体評価部４７は、例えば、上記実操作値とこれと対応する理想目標値とを比較して、理想目標に対する運転者の操作に応じた運転の改善余地等を評価する。この場合、全体評価部４７は、例えば、理想目標値に対する実操作値の割合を評価したり、区間評価で用いた値をさらに走行全体で累積（積算）して評価をしたり、あるいは、各理想目標値と各実操作値との比較の結果に対して、例えば、燃費寄与度に応じて重み付けを行って総合的に評価したりするようにしてもよい。また、全体評価部４７は、例えば、運転者の実際の走行履歴と理想目標とを照らし合わせることで、ある区間で運転者が操作を行った結果、加速や減速が必要になったか、そもそも加速や減速が必要だったか、などを評価する。
【００６０】
そして、出力制御部４４は、瞬時評価部４５による瞬時評価の結果、区間評価部４６による区間評価の結果、全体評価部４７による全体評価の結果等を評価結果出力装置５に出力する。評価結果出力装置５は、評価結果を運転者に通知し、これにより、運転者が走行計画に基づき運転する際の利便性を向上する。なお、評価結果出力装置５が通知する評価項目は、運転者の運転技量や燃費走行熟練度などのレベルに応じて選択可能であるようにしてもよい。
【００６１】
例えば、評価結果出力装置５は、インジケータ５１が瞬時評価の結果を表示し、表示装置５２が区間評価、全体評価の結果を表示する。
【００６２】
インジケータ５１は、一例として、図５に例示するように、瞬時評価の内容を視覚的に通知する。インジケータ５１は、例えば、図５の最上段に図示するように、瞬時評価の結果と対応付けられた点灯可能な区画を複数（奇数個が好ましい）並べて構成された表示器である。インジケータ５１は、瞬時評価の結果を所定の区画の点灯により表示する。インジケータ５１は、瞬時評価の結果に対応する区画を定義（決定）し、例えば、図５の中段から下段に図示するように、定義した区画を点灯させる。インジケータ５１は、例えば、理想目標値と実操作値との乖離度を視覚的に表す。このとき、評価結果出力装置５は、例えば、アクセル操作が多すぎるなど、運転者による無駄な操作が多いと評価されたような場合には、音声出力装置５３を介して警告音を出力するようにしてもよい。
【００６３】
表示装置５２は、一例として、図６に例示するように、区間評価の内容を視覚的に通知する。表示装置５２は、例えば、１つの実操作所定区間が終了するごと、あるいは、運転者による１つの操作が終了するごとに、適宜のタイミングで各区間ごとの区間評価の内容を逐次、視覚的に表す。図６は、加速走行区間における表示の一例を表しており、表示装置５２は、図中上段に当該区間に入るタイミングとそのときの速度（実線が実際の操作に応じた速度、点線が理想目標における目標速度）を表示している。また、表示装置５２は、図中下段に評価対象となった区間における燃料消費量、平均速度、平均加速度等の各実操作値、各理想目標値（理想燃料消費量、目標速度、目標加速度等）に対する各実操作値（実燃料消費量、実速度、実加速度等）の乖離度に相当する「評点」などを表示している。またここでは、表示装置５２は、運転者に対して、この区間での区間評価に基づいて、次の区間では加速タイミングに意識して必要最小限の加速をするようにアドバイスしている。
【００６４】
なお、区間評価部４６は、例えば、下記の数式（１）〜（５）を用いて、適宜重み付けを行って上記の各評点を算出してもよい。また、区間評価部４６は、例えば、下記の数式（６）〜（７）を用いて、適宜重み付けを行って上記以外の各評点を算出してもよい。
燃料消費量の評点＝（理想燃料消費量／実際の燃料消費量）×１００  ・・・（１）
平均速度の評点＝１００−｜理想目標の平均速度［ｋｍ／ｈ］−実平均速度［ｋｍ／ｈ］｜×１０  ・・・（２）
平均加速度の評点＝１００−｜理想目標の平均加速度［ｍ／ｓ２］−実平均加速度［ｍ／ｓ２］｜×１００  ・・・（３）
加速開始タイミングの評点＝１００−｜理想目標の開始タイミング［ｓ］−実開始タイミング［ｓ］｜×１０  ・・・（４）
区間開始時・終了時速度の評点＝１００−｜理想目標の区間開始時・終了時速度［ｋｍ／ｈ］−実区間開始時・終了時速度［ｋｍ／ｈ］｜×５  ・・・（５）
速度の乖離度の評点＝１００−速度の乖離度の面積［ｋｍ／ｈ・ｓ］  ・・・（６）
加速度の乖離度の評点＝１００−加速度の乖離度の面積［ｍ／ｓ２・ｓ］  ・・・（７）
【００６５】
また、区間評価部４６は、上記のような数式を用いて評点を算出する場合、各係数を走行時間などの運転状態に応じて変えるようにしてもよい。また、区間評価部４６は、これらの評点に閾値を設けて、各項目を「○」、「△」、「×」等の運転者に分り易い記号を決定し、表示装置５２は、当該記号を表示するようにしてもよい。この場合、閾値は、運転者の平均値や燃費寄与度に対する重要度などに基づいて適宜設定されればよい。
【００６６】
また、表示装置５２は、一例として、図７に例示するように、全体評価の内容を視覚的に通知する。表示装置５２は、例えば、１つのトリップが終了すると、適宜のタイミングで今回の走行全体での全体評価の内容を視覚的に表す。表示装置５２は、図中上段に１トリップの走行全体において燃費悪化要因となった時間帯（図中ハッチ部分）とそのときの速度（実線が実際の操作に応じた速度、点線が理想目標における目標速度）を表示している。表示装置５２は、例えば、図中「○」で示すように信号等で停止した場合などの燃費悪化要因に対して、その前の領域にハッチをかけることで燃費悪化要因との因果関係を視覚的に表示する。また、表示装置５２は、図中下段に走行全体での各実操作値、「評点」の平均などを表示している。またここでは、表示装置５２は、運転者に対して、この走行での全体評価に基づいて、次の走行では加速タイミングを意識してアクセル・ブレーキ操作をするようにアドバイスしている。
【００６７】
なお、評価結果出力装置５の評価結果の通知に伴った運転者へのアドバイスは、それぞれの評価項目に対して、それぞれ出力されてもよいし、幾つかの評価項目を組み合わせ出力されてもよい。これにより、この運転評価装置１は、より効果的なアドバイスを行うことができる。例えば、評価結果出力装置５は、定常走行区間で速度の乖離度の評点が予め設定される第１閾値より小さい場合には「速度を一定に保ちましょう」などの通知を行う。例えば、評価結果出力装置５は、加速走行区間で平均速度の評点が予め設定される第２閾値より小さく、かつ、平均加速度の評点が予め設定される第３閾値より小さい場合には「きびきびとした加速をしましょう」などの通知を行う。例えば、評価結果出力装置５は、減速走行区間で減速タイミングが遅く、減速タイミングの評点が予め設定される第４閾値より小さく、かつ、平均減速度の評点が予め設定される第５閾値より小さい場合には「早めのアクセルＯＦＦで減速度を弱めましょう」などの通知を行う。これらのアドバイスや評価は、表示装置５２で表示しても良いし、音声出力装置５３で音声として出力してもよい。また、評価結果出力装置５は、これらのアドバイスや評価とあわせて運転者の操作に応じた走行履歴も通知することで、運転者のどの操作を改善の対象とすべきなのか等を好適に運転者に通知することができる。
【００６８】
次に、図８のフローチャートを参照して運転評価装置における運転評価制御の一例を説明する。
【００６９】
まず、目標軌跡生成装置３は、状態検出装置２が検出した先読み情報等に基づいて、種々の公知の手法を用いて車両１０の走行の目標となる理想目標を生成する（ＳＴ１）。目標軌跡生成装置３は、理想目標に応じた目標軌跡、目標速度、目標加速度等の走行パターンを得る。
【００７０】
次に、評価演算装置４の理想目標解析部４１は、ＳＴ１で生成された理想目標における走行の区間分けを行う（ＳＴ２）。理想目標解析部４１は、理想目標に応じて理想目標所定区間を区間分けする。
【００７１】
そして、理想目標解析部４１は、各理想目標所定区間における理想目標値として、各理想目標所定区間に入るタイミングと速度、区間ごとの目標速度（最大速度、最小速度）、最大加減速度、理想燃料消費量などのリファレンスデータを抽出する（ＳＴ３）。上記ＳＴ２及びＳＴ３は、理想目標の解析工程に相当する。
【００７２】
次に、実操作解析部４２は、運転者による車両１０に対する実際の操作に応じた走行の区間分けを行う（ＳＴ４）。実操作解析部４２は、運転操作取得部２３が取得した実速度、実加速度等に応じた走行パターンを、実操作所定区間ごとに区分けする。
【００７３】
そして、実操作解析部４２は、各実操作所定区間における実操作値として、各実操作所定区間が始まる実際のタイミングと速度、区間ごとの実速度（最大速度、最小速度）、最大加減速度、燃料消費量などの比較データを抽出する（ＳＴ５）。上記ＳＴ４及びＳＴ５は、運転者による車両１０に対する実際の操作の解析工程に相当する。
【００７４】
次に、比較評価部４３は、理想目標と実際の操作に応じた運転との比較により、運転者の操作に応じた運転を評価する（ＳＴ６）。このとき、瞬時評価部４５は、運転者の操作に応じた運転の瞬時的な評価を行い、区間評価部４６は、運転者の操作に応じた運転の各区間における評価を行い、全体評価部４７は、運転者の操作に応じた運転の走行全体における評価を行う。
【００７５】
そして、出力制御部４４は、比較評価部４３による評価の結果を評価結果出力装置５に出力し、評価結果出力装置５は、評価演算装置４による運転の評価結果をそれぞれ適切なタイミングで出力し（ＳＴ７）、終了する。
【００７６】
以上で説明した実施形態に係る運転評価装置１によれば、車両１０の加速走行と惰性走行とを繰り返す走行の目標となる理想目標に応じた理想目標値と、車両１０に対する実際の操作に応じた実操作値との比較に基づいて、運転者の実際の操作に応じた運転を評価する。したがって、運転評価装置１は、適正に運転を評価することができ、例えば、走行計画に基づき運転者が運転する際の利便性を向上することができ、フリーラン等を含む燃費走行に最適な運転操作を運転者に促すことができる。例えば、この運転評価装置１は、瞬時的な評価や総合的な評価では困難であった評価、例えば、評価する走行状況における必然的な操作と無駄な操作との区別ができ、また、より適切なタイミングで運転者の運転評価を行うことができ、運転者に対して理想的な走行をよりイメージさせ易くすることができる。
【００７７】
［実施形態２］
図９は、目標速度と実速度との比較の一例を表す線図、図１０は、速度差と評価値との関係の一例を表す線図である。実施形態２に係る運転評価装置は、瞬時評価の内容が実施形態１とは異なる。その他、上述した実施形態と共通する構成、作用、効果については、重複した説明はできるだけ省略するとともに、主要な構成については適宜図１を参照する（以下で説明する実施形態も同様である。）。
【００７８】
実施形態２に係る運転評価装置２０１は、瞬時評価部４５が瞬時評価として、目標速度と実車速とを比較しこれに基づいて運転者のアクセル操作の度合い（アクセルペダルの踏み込み度合い）の評価を行うことで、瞬時評価の改善を図っている。
【００７９】
瞬時評価部４５は、典型的には、目標速度と実車速とを比較し、実車速が目標速度より低い場合にはアクセル操作が足りていないと評価し、実車速が目標速度より高い場合には、アクセル操作が過剰であると評価する。
【００８０】
一例として、瞬時評価部４５は、図９に例示するように、理想目標に応じた目標速度（図９中点線で図示）と運転者の操作（ドライバ操作）に応じた実速度（図９中実線で図示）との差分をとり、速度差を算出する。このとき、瞬時評価部４５は、運転者の操作のタイムラグなどを考慮して少し先の目標速度と実車速を先読みして速度差を算出してもよい。
【００８１】
瞬時評価部４５は、図１０に例示する速度差−評価値マップ（不図示の記憶部に予め記憶）を用いて、速度差から評価値を算出する。なお、この評価値は、下記の数式（８）を用いて線形的に算出しても良い。数式（８）において、γは、インジケータ５１に表示する際の所定の係数であり、任意に予め設定される係数である。
評価値＝γ×（目標速度−実速度）  ・・・（８）
【００８２】
出力制御部４４は、瞬時評価部４５による瞬時評価の結果として上記評価値を評価結果出力装置５に出力する。そして、評価結果出力装置５は、例えば、インジケータ５１がこの評価値に応じた所定の区画を点灯させ、運転者に対して瞬時評価の結果を視覚的に表す。
【００８３】
したがって、運転評価装置２０１は、目標速度と実速度との速度差に応じた評価値に基づいてインジケータ５１が動作することで、理想目標と実際の操作に応じた運転との違いや理想目標に近づくための操作の仕方等を運転者に対してより分り易く提示することができる。この結果、この運転評価装置２０１では、例えば、理想目標に近づくための加速・減速の開始・終了タイミングの判断や目標速度のためにはどれぐらい加速が必要であるかなどの判断を運転者自身が的確に行えるようにすることができる。また、運転評価装置２０１は、いわゆる燃費走行にかかわらず、目標速度と実速度との関係を視覚的に分り易く運転者に提供することができる。
【００８４】
［実施形態３］
図１１は、エンジン回転数、エンジントルクと加速効率との関係を表す加速効率マップの一例、図１２は、最高加速効率における車速と加速度との関係を表す加速効率マップの一例、図１３は、運転評価装置における運転評価制御の一例を表すフローチャートである。実施形態３に係る運転評価装置は、瞬時評価の内容が実施形態１、２とは異なる。
【００８５】
実施形態３に係る運転評価装置３０１は、瞬時評価部４５が瞬時評価として、さらに加速時などにおけるエンジン６１の熱効率等の加速効率に基づいて運転者の運転を評価する。
【００８６】
ここでは、評価演算装置４は、少なくとも速度と加速効率の２つのパラメータを用いて運転を評価する。評価演算装置４は、理想目標値である車両１０の目標速度と実操作値である車両１０の実速度との比較、及び、加速効率に基づいて、運転者の操作に応じた運転を評価する。すなわち、瞬時評価部４５は、理想目標に応じた車両１０の目標速度と車両１０に対する実際の操作に応じた車両１０の実速度との差分（速度偏差）と、車両１０に対する実際の操作に応じた車両１０の加速効率とに基づいて、運転者の操作に応じた運転を評価する。
【００８７】
瞬時評価部４５は、瞬時評価として、目標速度と実車速との比較と実際の加速効率とに基づいて運転者のアクセル操作の度合い（アクセルペダルの踏み込み度合い）の評価を行い、これにより瞬時評価の改善を図っている。瞬時評価部４５は、例えば、目標速度と実速度との差分（速度偏差）が大きくても、運転者による操作に応じた走行が高加速度で加速効率が相対的に悪い場合にはアクセル操作が過剰であると評価し、低加速度で加速効率が相対的に悪い場合にはアクセル操作が足りていないと評価する。
【００８８】
一例として、瞬時評価部４５は、理想目標に応じた目標速度と運転者の操作に応じた実速度との差分をとり、速度差を算出する。
【００８９】
そして、瞬時評価部４５は、例えば、運転操作取得部２３が算出する現在の実際のドライバ要求加減速度（要求トルク）に基づいて、運転者による実際の操作に応じた車両１０の加速効率を算出する。瞬時評価部４５は、例えば、図１１に例示するようなエンジン６１の熱効率マップ（不図示の記憶部に予め記憶、以下も同様）を用いて現在の実際の要求エンジントルクとエンジン回転数とに応じて定まる動作点から上記加速効率を算出すればよい。加速効率は、例えば図１１中、最高効率（理想目標の目標加速効率に相当）の領域を基準として、高エンジン回転数側ではアクセル操作が過剰であることに起因して悪化（例えば変速段が低くて悪化）する一方、低エンジン回転数側ではアクセル操作が足りていないことに起因して悪化（例えば変速段が高くて悪化）する。
【００９０】
また、瞬時評価部４５は、例えば、図１２に例示するような加速効率マップを用いて、現在の実際の車速と加速度とから加速効率を算出してもよい。図１２の加速効率マップは、最高加速効率（目標加速効率に相当）における車速と加速度との関係を記述したものであり、所定の車速において、最高加速効率となる加速度を記述したものである。瞬時評価部４５は、現在の実際の速度において最高加速効率となる加速度と現在の実際の加速度との偏差に応じて、現在の加速効率を算出することができる。
【００９１】
そして、瞬時評価部４５は、例えば、目標速度と運転者の操作に応じた実速度との差分に応じた速度評価値と、最高効率に対する実際の加速効率に応じた効率評価値を算出し、これら速度評価値、効率評価値に基づいて、運転者の操作に応じた運転、運転者のアクセル操作などを評価する。
【００９２】
そして、出力制御部４４は、瞬時評価部４５による瞬時評価の結果として上記評価値を評価結果出力装置５に出力する。そして、評価結果出力装置５は、例えば、インジケータ５１などを介して運転者に対して瞬時評価の結果を視覚的に表したり、表示装置５２、音声出力装置５３を介して文字情報や音声情報によって「速度超過」や「アクセル過多」などの情報を提示したりする。
【００９３】
このとき、瞬時評価部４５は、車両１０の状態に応じて、速度偏差に応じた速度評価値と加速効率に応じた効率評価値とに重み付けをし、この重み付けした後の速度評価値と効率評価値とに基づいて、運転者の操作に応じた運転を評価してもよい。例えば、瞬時評価部４５は、実速度の目標速度への追従性重視の走行や加速効率重視の走行など、状態に応じて各項目に対して重み付けを行って評価値を算出、補正して、運転の評価に用いてもよい。これにより、運転評価装置３０１は、より状況に適した瞬時評価を行うことができる。また、瞬時評価部４５は、単純にアクセル操作の適否を評価するのであれば、評価に用いる項目として、速度評価値、効率評価値のいずれか一方、あるいは両方を状況に合わせて適宜つかいわければよい。例えば、瞬時評価部４５は、下記の数式（９）を用いて、瞬時評価における評価値を算出する。数式（９）において、αは、重み付けのための係数（α＜１）であり、車両１０の状態などに応じて設定される係数である。
評価値＝α×速度評価値＋（１−α）×効率評価値  ・・・（９）
【００９４】
例えば、瞬時評価部４５は、目標速度よりも実速度が高いときには運転者による加速操作自体が必要ないので、加速効率に応じた効率評価値の重みを小さくし、速度偏差に応じた速度評価値を主体とした評価とし、これに応じて、評価結果出力装置５は、例えば、アクセル操作を弱めるように促す通知を行う。また例えば、瞬時評価部４５は、目標速度と実速度とがほぼ同等であるときには加速効率に応じた効率評価値の重みを大きくし、目標速度よりも実速度が低いときには目標速度と実速度との速度差を提示すると共にその目標速度に対して適切な加速操作を促すために、速度評価値と効率評価値との両方を重視するような重み付けをする。
【００９５】
また、燃費走行に未だ詳しくない運転者に対して、加速効率の良い加速を促し実際に加速効率の良い加速を実行させること自体、困難である可能性もあるため、瞬時評価部４５は、例えば、単純に実加速度が低い場合も効率評価値を相対的に良くするなど、運転者の運転レベルに合わせて評価値の計算手法や重み付けをかえるようにしてもよい。また例えば、車両１０がいわゆるＭＴ車両である場合は、瞬時評価部４５は、例えば、変速機６３の現在のギア段などを考慮して瞬時評価を行うと共に、評価結果出力装置５は、評価結果に応じて、加速効率が向上するようにアップシフトやダウンシフトなどの変速操作を促すようにアドバイスしてもよい。
【００９６】
次に、図１３のフローチャートを参照して運転評価装置における運転評価制御の一例を説明する。なおここでは、基本的には瞬時評価のみを説明する。
【００９７】
まず、評価演算装置４の瞬時評価部４５は、理想目標の目標速度と現在の実速度との差分（速度偏差）を計算する（ＳＴ２１）。
【００９８】
次に、瞬時評価部４５は、現在の加速効率を計算する（ＳＴ２２）。
【００９９】
次に、瞬時評価部４５は、目標速度と現在の実速度との差分に応じた速度評価値と、加速効率に応じた効率評価値とに対して所定の重み付けを行って最終的な評価値を算出する（ＳＴ２３）。
【０１００】
そして、出力制御部４４は、瞬時評価部４５による瞬時評価の結果として上記評価値を評価結果出力装置５に出力し、評価結果出力装置５は、これに応じて瞬時評価の結果を通知し（ＳＴ２４）、終了する。
【０１０１】
したがって、運転評価装置３０１は、目標速度と実速度との速度差と加速効率とに基づいて運転を評価することで、例えば、速度だけでなく、運転者の実際の操作に応じてその速度にいたるまでの加速の仕方の適否等も評価することができ、これにより、より燃費向上に則した運転評価を行うことができる。この結果、この運転評価装置３０１では、例えば、現時点ではどのようなアクセル操作がより燃費向上に貢献できるかなどを運転者に容易に提供することができ、加速効率を考慮しつつ理想目標に近い運転を促すことができる。
【０１０２】
［実施形態４］
図１４は、エネルギの計算を説明するための線図、図１５は、運転評価装置におけるエネルギの切り分け制御の一例を表すフローチャート、図１６は、表示装置で表示する評価結果の一例である。実施形態４に係る運転評価装置は、エネルギ単位で評価を行う点で実施形態１〜３とは異なる。
【０１０３】
実施形態４に係る運転評価装置４０１は、区間評価部４６が区間評価として、アクチュエータ６で発生、損失するエネルギに基づいて運転者の実際の操作に応じた運転を評価することで、より詳細な評価を行い、区間評価の改善を図っている。なお、以下で説明するエネルギ単位での評価は、瞬時評価部４５による瞬時評価、全体評価部４７による全体評価に適用してもよい。
【０１０４】
ここでは、評価演算装置４は、運転者の実際の操作をエネルギ単位で解析して運転を評価する。理想目標値は、例えば、理想目標に応じて、車両１０の走行を実現するアクチュエータ６で発生又は損失する目標エネルギを含み、実操作値は、車両１０に対する実際の操作に応じてアクチュエータ６で発生又は損失する実エネルギを含む。つまりここでは、区間評価部４６は、少なくとも理想目標値である目標エネルギと実操作値である実エネルギとの比較に基づいて、運転者の操作に応じた運転を評価する。
【０１０５】
そして、この区間評価部４６は、目標エネルギと実エネルギとの比較、評価を加速時と減速時とで分けて行う。つまりここでは、目標エネルギは、例えば、理想目標に応じて車両１０の加速時に発生する目標加速エネルギ及び車両１０の減速時に損失する目標減速エネルギを含み、実エネルギは、車両１０に対する実際の操作に応じて車両１０の加速時に発生する実加速エネルギ及び車両１０の減速時に損失する実減速エネルギを含む。
【０１０６】
さらにここでは、この区間評価部４６は、目標エネルギと実エネルギとの比較、評価を複数のアクチュエータ６毎に分けて行うことが好ましい。つまり、理想目標値は、理想目標に応じて、車両１０の走行を実現する複数のアクチュエータ６毎に発生又は損失する目標エネルギを含み、実操作値は、車両１０に対する実際の操作に応じて複数のアクチュエータ６毎に発生又は損失する実エネルギを含むことが好ましい。区間評価部４６は、複数のアクチュエータ６毎に、それぞれ目標エネルギと実エネルギとの比較を行い、この比較に基づいて運転者の操作に応じた運転を評価することが好ましい。
【０１０７】
具体的には、理想目標解析部４１は、理想目標に応じてアクチュエータ６での目標加速エネルギ、目標減速エネルギを算出する。実操作解析部４２は、運転者の実際のアクセル操作、ブレーキ操作に応じてアクチュエータ６での実加速エネルギ、実減速エネルギを算出する。そして、区間評価部４６は、区間評価として、各アクチュエータ６において目標加速エネルギと実加速エネルギ、あるいは、目標減速エネルギと実減速エネルギとを比較し、比較結果に基づいて運転者の操作に応じた運転を評価する。
【０１０８】
一例として、理想目標解析部４１、実操作解析部４２は、例えば、車両１０の目標速度、実速度に基づいた運動エネルギの形で目標エネルギ、実エネルギを解析、算出すればよい。この場合、理想目標解析部４１、実操作解析部４２は、例えば、下記の数式（１０）などを用いて運動エネルギの変化量を算出し、これを例えば、下記の数式（１１）などを用いて微小時間毎に積算し各エネルギ量を算出する。数式（１０）、（１１）において、ｍは車両１０の重量、Ｖは速度（目標速度、実速度）、αは（１／２）・ｍなどの係数である。
運動エネルギの変化量＝（１／２）・ｍ・Ｖｎ２−（１／２）・ｍ・Ｖｎ−１２  ・・・（１０）
エネルギ量＝Σα・（Ｖｎ２−Ｖｎ−１２）  ・・・（１１）
【０１０９】
例えば、実操作解析部４２は、数式（１１）を用いて、実速度が正側に変化した場合には実加速エネルギ量、負側に変化した場合には実減速エネルギ量を算出する。典型的には、発進から停止までの１つの走行全体を考えた場合、加速エネルギ量と減速エネルギ量とは、ほぼ等価になるが、これらを解析、評価することで、より適正な運転の評価を行うことができる。
【０１１０】
そして、区間評価部４６は、例えば、目標エネルギと実エネルギとの比較、評価を複数のアクチュエータ６などに応じて切り分けて行うことで、運転者の運転の詳細な評価を行うことができる。区間評価部４６は、例えば、実減速エネルギを運転者によるブレーキ操作により減速した分と、エンジンブレーキにより減速した分などに分けて評価する。
【０１１１】
なお、理想目標解析部４１、実操作解析部４２は、例えば、車両１０にて生じる駆動力、減速力をエネルギの次元で算出することで、目標エネルギ、実エネルギを解析、算出してもよい。理想目標解析部４１、実操作解析部４２は、車両１０の駆動力や減速力等を推定できる場合には、この駆動力や減速力等から車両１０が加速（駆動）に発生するエネルギ（目標加速エネルギ、実加速エネルギ）、減速でロスするエネルギ（目標減速エネルギ、実減速エネルギ）を算出できる。理想目標解析部４１、実操作解析部４２は、例えば、種々の公知の手法により車両１０の駆動力（減速力）Ｔ［Ｎｍ］を推定し、車両１０の車輪の回転数をＮ［ｒａｄ／ｓ］、サンプリング周期をｄｔとして［Ｔｎ×Ｎｎ×ｄｔ］を微小時間毎に積算することで、駆動時の加速エネルギ量、減速時の減速エネルギ量を算出することができる。
【０１１２】
この場合も、区間評価部４６は、例えば、目標エネルギと実エネルギとの比較、評価を複数のアクチュエータ６などに応じて切り分けて行うことで、運転者の操作に応じた運転の詳細な評価を行うことができる。区間評価部４６は、例えば、実減速エネルギを運転者によるブレーキ操作により減少した分と、エンジンブレーキにより減速した分などに分けて評価する。またこの場合、この運転評価装置４０１は、駆動力、減速力に応じて各エネルギ量が算出されることで、車両１０の走行抵抗なども加味された実際に車両１０が出したパワーの単位に相当する値を用いて運転を評価することができる。
【０１１３】
例えば、理想目標解析部４１は、運動エネルギの形でエネルギを解析、算出する場合、各理想目標所定区間における目標速度のパターンなどから理想目標に応じた走行を実現するために必要な目標エネルギ量を計算する。そして、理想目標解析部４１は、図１４に例示するように、例えば、各理想目標所定区間における目標速度や目標加速度のパターンなどから減速エネルギが運転者のブレーキ操作に応じた油圧ブレーキ装置６４の動作に伴った油圧ブレーキによる減速エネルギであるのか、アクセル操作ＯＦＦによるエンジン６１、変速機６３の動作に伴ったエンジンブレーキによる減速エネルギであるのか等を切り分ける。また例えば、理想目標解析部４１は、車両１０にて生じる駆動力、減速力をエネルギの次元で算出する場合、各理想目標所定区間における目標加速度のパターンなどから必要な駆動力（加速度、減速度から計算される）を算出し、これを用いて必要なエネルギを算出する。実操作解析部４２もこれとほぼ同様に、各実操作所定区間における実速度や実加速度のパターンなどから運転者の実際の操作に応じた運転での実エネルギ量を計算し、アクチュエータ６に応じてこの実エネルギを切り分ける。
【０１１４】
ここで、図１５を参照してエネルギの切り分け例を説明する。なお、目標エネルギの切り分けと実エネルギの切り分けとはほぼ同様であるので、ここでは実エネルギの切り分けのみについて説明する。
【０１１５】
実操作解析部４２は、まず、上述の［Ｖｎ２−Ｖｎ−１２］、もしくは、［Ｔｎ］が０より大きいか否かを判定する（ＳＴ３１）。
【０１１６】
実操作解析部４２は、［Ｖｎ２−Ｖｎ−１２］、もしくは、［Ｔｎ］が０より大きいと判定した場合（ＳＴ３１：Ｙｅｓ）、ここでの当該区間でのエネルギが加速エネルギであるものとして特定し（ＳＴ３２）、終了する。
【０１１７】
実操作解析部４２は、［Ｖｎ２−Ｖｎ−１２］、及び、［Ｔｎ］が０以下であると判定した場合（ＳＴ３１：Ｎｏ）、運転操作取得部２３が取得する運転者による車両１０に対する実際の操作に関する情報に基づいて、ブレーキ操作がＯＮであるか否かを判定する（ＳＴ３３）。
【０１１８】
実操作解析部４２は、ブレーキ操作がＯＮであると判定した場合（ＳＴ３３：Ｙｅｓ）、ここでの当該区間でのエネルギが油圧ブレーキ装置６４の動作に伴った油圧ブレーキによるロスエネルギ（減速エネルギ）であるものとして特定し（ＳＴ３４）、終了する。
【０１１９】
実操作解析部４２は、ブレーキ操作がＯＦＦであると判定した場合（ＳＴ３３：Ｎｏ）、ここでの当該区間でのエネルギがエンジン６１、変速機６３の動作に伴ったエンジンブレーキによるロスエネルギ（減速エネルギ）であるものとして特定し（ＳＴ３５）、終了する。
【０１２０】
そして、区間評価部４６は、区間評価として、目標エネルギと実エネルギとを比較し、運転者の操作に応じた運転の詳細な評価を行う。区間評価部４６は、例えば、目標加速エネルギと実加速エネルギとの差分や各アクチュエータ６における目標減速エネルギと実減速エネルギとの差分に応じて、ブレーキ操作による損失がどの程度大きいのかなどを評価する。なお、区間評価部４６は、このエネルギ単位での解析において、例えば、目標エネルギに対する実エネルギの割合や、燃費に対する寄与度、他の運転者の平均に対しての評価値を算出し、これに応じて運転者の操作に応じた運転を評価してもよい。
【０１２１】
そして、出力制御部４４は、区間評価部４６によるエネルギ単位での評価も含んだ区間評価の結果を評価結果出力装置５に出力する。そして、評価結果出力装置５は、例えば、表示装置５２などを介して運転者に対して評価の結果を視覚的に表したり、音声出力装置５３を介して音声情報を提示したりする。図１６は、本実施形態において表示装置５２で表示する評価結果の一例である。このとき、表示装置５２は、例えば、走行履歴等もあわせて表示してもよい。
【０１２２】
したがって、運転評価装置４０１は、エネルギという単位で運転者の操作に応じた運転を評価することで、実際の運転がどの程度、理想目標と異なるのか等を運転者にイメージさせ易い形式で評価することができ、運転者に対して実際の操作に応じた運転と理想目標との比較を認識させ易くさせることができる。また、運転評価装置４０１は、エネルギ単位で運転者の操作に応じた運転を評価することで、運転者の各操作がエネルギ（燃費）に与える寄与度（影響）を明確に表すことができ、燃費の改善余地や改善に有効な操作を運転者に対して明確にすることができる。
【０１２３】
［実施形態５］
図１７は、運転評価装置におけるエネルギの切り分け制御の一例を表すフローチャート、図１８、図１９は、表示装置で表示する評価結果の一例である。実施形態５に係る運転評価装置は、モータジェネレータにおけるエネルギも考慮している点で実施形態４とは異なる。
【０１２４】
実施形態５に係る運転評価装置５０１は、理想目標解析部４１、実操作解析部４２が加速エネルギについても複数のアクチュエータ６に応じて切り分ける。区間評価部４６は、いわゆるハイブリッド車両である車両１０において、区間評価として、ＭＧ６２やバッテリ６５などにおけるエネルギにも基づいて運転者の実際の操作に応じた運転を評価することで、より詳細な評価を行い、区間評価の改善を図っている。なお、以下で説明するエネルギ単位での評価は、瞬時評価部４５による瞬時評価、全体評価部４７による全体評価に適用してもよい。
【０１２５】
ここでは、理想目標解析部４１、実操作解析部４２は、例えば、加速エネルギをエンジン６１による加速エネルギ、ＭＧ６２による加速エネルギ（エンジン６１の非作動状態（燃料の燃焼が停止した状態）における加速エネルギ）などに切り分ける。また、理想目標解析部４１、実操作解析部４２は、例えば、減速エネルギを油圧ブレーキ装置６４の動作に伴った油圧ブレーキによる減速エネルギ、ＭＧ６２の動作に伴った回生ブレーキによる減速エネルギ、エンジン６１、変速機６３の動作に伴ったエンジンブレーキによる減速エネルギなどに切り分ける。
【０１２６】
そして、区間評価部４６は、目標エネルギと実エネルギとの比較、評価をこれら複数のアクチュエータ６毎に分けて行う。また、区間評価部４６は、さらにハイブリッド車両特有の評価項目、例えば、エンジン６１の動作時間（エンジン非作動時間）などに基づいて区間評価を行ってもよい。
【０１２７】
具体的には、理想目標解析部４１、実操作解析部４２は、例えば、目標軌跡生成装置３が生成した理想目標や運転状態取得部２２が取得した車両１０の運転状態に関する情報などに基づいて、加速エネルギをエンジン６１によるものと、ＭＧ６２によるものとに切り分ける。例えば、理想目標解析部４１、実操作解析部４２は、車両１０で生じる駆動力のうちエンジン６１による駆動力とＭＧ６２による駆動力との割合を推定できる場合には、この駆動力割合に基づいてエンジン６１による加速エネルギと、ＭＧ６２による加速エネルギとを切り分ける。また、実操作解析部４２は、上記駆動力の割合が推定できないような場合には、エンジン６１が非作動状態であるか否かに基づいて切り分けたり、運転操作取得部２３が取得する運転者による車両１０に対する実際の操作に関する情報、例えば、運転者のアクセル操作の操作量（アクセル開度）などに基づいて切り分けたりすればよい。
【０１２８】
同様に、理想目標解析部４１、実操作解析部４２は、例えば、目標軌跡生成装置３が生成した理想目標や運転状態取得部２２が取得した車両１０の運転状態に関する情報などに基づいて、減速エネルギを油圧ブレーキによるもの、回生ブレーキによるもの、エンジンブレーキ（回生）によるものなどに切り分ける。なお、この切り分けには、例えば、さらに走行抵抗によるものなどを加えてもよい。また、回生ブレーキによるエネルギには、実際にはバッテリ６５に回収される分もあるので、この回収効率を考慮して減速エネルギを切り分けるようにしてもよい。例えば、実操作解析部４２は、７割の回収効率であれば、３割はロス分であるとみなし、係数として０．３を乗算して減速による実減速エネルギを算出する。また、実操作解析部４２は、運転操作取得部２３が取得する運転者による車両１０に対する実際の操作に関する情報、例えば、運転者のブレーキ操作の操作量などに基づいて減速エネルギを切り分けてもよい。また、実操作解析部４２は、運転操作取得部２３が取得する運転者による車両１０に対する実際の操作に関する情報、例えば、車両１０の実速度とアクセル操作の操作量から回生マップなどを用いて回生量を推定して、これに基づいて減速エネルギを切り分けてもよい。
【０１２９】
そして、区間評価部４６は、区間評価として、各アクチュエータ６において、切り分けた目標エネルギ（目標加速エネルギ、目標減速エネルギ）と実エネルギ（実加速エネルギ、実減速エネルギ）との比較を行い、この比較に基づいて運転者の操作に応じた運転を評価する。また、区間評価部４６は、例えば、さらにエンジン６１の動作時間（エンジン非作動時間）などの評価項目も用いて運転者の操作に応じた運転を評価してもよい。
【０１３０】
ここで、図１７を参照してエネルギの切り分け例を説明する。なお、目標エネルギの切り分けと実エネルギの切り分けとはほぼ同様であるので、ここでは実エネルギの切り分けのみについて説明する。
【０１３１】
実操作解析部４２は、まず、ここでの当該区間でのエネルギが加速エネルギであるか否かを判定する（ＳＴ４１）。実操作解析部４２は、例えば、図１５で説明したように、上述の［Ｖｎ２−Ｖｎ−１２］、もしくは、［Ｔｎ］が０より大きいか否かによって加速エネルギであるか否かを判定する。
【０１３２】
実操作解析部４２は、加速エネルギであると判定した場合（ＳＴ４１：Ｙｅｓ）、エンジン６１がＯＮ、すわわち、燃料を消費して動力を出力する作動状態であるか否かを判定する（ＳＴ４２）。
【０１３３】
実操作解析部４２は、エンジン６１がＯＮであると判定した場合（ＳＴ４２：Ｙｅｓ）、ここでの当該区間での加速エネルギがエンジン６１による加速エネルギであるものとして特定し（ＳＴ４３）、終了する。
【０１３４】
実操作解析部４２は、エンジン６１がＯＦＦであると判定した場合（ＳＴ４２：Ｎｏ）、ここでの当該区間での加速エネルギがＭＧ６２による加速エネルギであるものとして特定し（ＳＴ４４）、終了する。
【０１３５】
実操作解析部４２は、ＳＴ４１にて加速エネルギでないと判定した場合（ＳＴ４１：Ｎｏ）、運転者によるブレーキ操作がＯＮであるか否かを判定する（ＳＴ４５）。
【０１３６】
実操作解析部４２は、ブレーキ操作がＯＮであると判定した場合（ＳＴ４５：Ｙｅｓ）、ブレーキ開度（ブレーキ操作の操作量に相当）が予め設定される回生範囲内であるか否かを判定する（ＳＴ４６）。
【０１３７】
実操作解析部４２は、ブレーキ開度が回生範囲内であると判定した場合（ＳＴ４６：Ｙｅｓ）、ここでの当該区間でのエネルギが回生ブレーキによる減速エネルギ（ロスエネルギ）であるものとして特定し（ＳＴ４７）、終了する。
【０１３８】
実操作解析部４２は、ＳＴ４５にてブレーキ操作がＯＦＦであると判定した場合（ＳＴ４５：Ｎｏ）、ここでの当該区間でのエネルギがエンジンブレーキ（回生）による減速エネルギであるものとして特定し（ＳＴ４８）、終了する。
【０１３９】
実操作解析部４２は、ＳＴ４６にてブレーキ開度が回生範囲内でないと判定した場合（ＳＴ４６：Ｎｏ）、ここでの当該区間でのエネルギが回生ブレーキによる減速エネルギと、回生ブレーキでまかなえなかった溢れた分を補う油圧ブレーキによる減速エネルギであるものとして特定し（ＳＴ４９）、終了する。
【０１４０】
そして、区間評価部４６は、区間評価として、上記のように切り分けた目標エネルギと実エネルギとを比較し、運転者の操作に応じた運転の詳細な評価を行う。出力制御部４４は、区間評価部４６によるエネルギ単位での評価も含んだ区間評価の結果を評価結果出力装置５に出力する。そして、評価結果出力装置５は、例えば、表示装置５２などを介して運転者に対して評価の結果を視覚的に表したり、音声出力装置５３を介して音声情報を提示したりする。図１８は、本実施形態において表示装置５２で表示する評価結果の一例である。また、表示装置５２は、例えば、図１９に例示するように、評価時点での各アクチュエータ６の目標動作を表示するようにしてもよい。例えば、表示装置５２は、評価時点において、理想目標ではブレーキ回生による減速が理想的であるとされる場合には、「ブレーキ回生」の「ＯＮ」の欄を強調するようにして表示することで、運転者に理想的な運転を促すことができる。
【０１４１】
したがって、運転評価装置５０１は、エネルギという単位で運転者の操作に応じた運転を評価することで、どの程度、理想目標と異なるのか等を運転者にイメージさせ易い形式で評価することができ、運転者に対して実際の操作に応じた運転と理想目標との比較をし易くさせることができる。そして、運転評価装置５０１は、ハイブリッド車両である車両１０においても適正に運転者の操作に応じた運転を評価することができ、ハイブリッド車両における燃費走行を適正に評価することができる。なお、このハイブリッド車両に適用した上述の運転評価は、例えばいわゆる電気自動車にも応用することができる。
【０１４２】
［実施形態６］
図２０は、エンジン回転数、エンジントルクと加速効率ロスとの関係を表す加速効率ロスマップ、図２１は、加速効率ロスにおける評点マップ、図２２、図２３は、減速時の評価における評点マップ、図２４は、評価結果出力装置で出力するアドバイスの例を説明する図、図２５は、表示装置で表示する評価結果の一例である。実施形態６に係る運転評価装置は、エネルギ単位でより詳細な評価を行う点で実施形態４、５とは異なる。
【０１４３】
実施形態６に係る運転評価装置６０１は、区間評価部４６が区間評価として、例えば、加速エネルギにおいて、エンジン６１の熱効率などの加速効率を考慮して加速効率ロス分のエネルギを反映させて、その上で、理想目標と運転者の実際の操作に応じた運転とを比較し、評価することで、例えば、アクセル操作の操作具合（アクセルペダルの踏み具合等）を評価し、区間評価の改善を図っている。また、区間評価部４６は、区間評価として、例えば、減速エネルギにおいて、回生ブレーキによる減速エネルギと油圧ブレーキによる減速エネルギとエンジンブレーキによる減速エネルギとの割合などに基づいて、例えば、ブレーキ操作の操作具合（ブレーキペダルの踏み具合等）を評価し、区間評価の改善を図っている。また、区間評価部４６は、理想目標との比較に限らず、全加速エネルギにおける加速効率ロス分の割合、全減速エネルギにおける回生ブレーキ分、油圧ブレーキ分、エンジンブレーキ分の割合等を比較することでも、運転を評価してもよい。なお、以下で説明する運転評価は、瞬時評価部４５による瞬時評価、全体評価部４７による全体評価に適用してもよい。
【０１４４】
例えば、実操作解析部４２は、運転者の実際の操作に応じて車両１０がエンジン６１の出力によって加速している場合、現在のエンジン６１の熱効率（実際のエンジン回転数やエンジントルクから算出）等を考慮して、現在出せる最高効率（理想目標の目標加速効率に相当）を１００％とした場合の現在の実際の損失分エネルギを加速効率ロスとして算出する。実操作解析部４２は、例えば、図２０に例示するような加速効率ロスマップを用いて、実際のエンジン回転数ＮＥｎと実際のエンジントルクＴＥｎとから、加速効率ｅｆｆｎ（ｅｆｆｎ＝ｆ（ＮＥｎ、ＴＥｎ））のロス分を算出する。
【０１４５】
また、実操作解析部４２は、例えば、運転者の実際の操作に応じて車両１０がＭＧ６２の出力によって加速している場合、エンジン６１と比較するとＭＧ６２の効率の変化が相対的に小さいため、加速効率ロスが０であるものとして扱うことができる。ただし、実操作解析部４２は、例えば、バッテリ６５からＭＧ６２を介して運動エネルギとなる変換効率のロスを一律の０．９に設定したり、例えば、高回転で効率がよくなるＭＧ６２である場合にはこれらの特性を反映させるようにしてもよい。
【０１４６】
そして、実操作解析部４２は、運転者による実際の操作に応じた実加速エネルギに、上記の加速効率ロス分のエネルギの割合を反映させ、例えば、加速効率の逆数を実加速エネルギに乗算することで、加速効率を反映させた実加速エネルギの総和、実加速エネルギの総和における効率ロス分エネルギなどを算出する。実操作解析部４２は、例えば、下記の数式（１２）、（１３）などを用いて、加速効率を考慮した加速エネルギや加速エネルギにおける効率ロス分エネルギを算出する。
加速効率を考慮した加速エネルギ＝α・（Ｖｎ２−Ｖｎ−１２）×（１／ｅｆｆｎ）  ・・・（１２）
加速エネルギにおける効率ロス分エネルギ＝α・（Ｖｎ２−Ｖｎ−１２）×（［１−ｅｆｆｎ］／ｅｆｆｎ）  ・・・（１３）
また、実操作解析部４２は、数式（１２）、（１３）にかえて、例えば、数式（１４）、（１５）などを用いて、加速効率を考慮した加速エネルギや加速エネルギにおける効率ロス分エネルギを算出してもよい。
加速効率を考慮した加速エネルギ＝Ｔｎ×Ｎｎ×（１／ｅｆｆｎ）×ｄｔ  ・・・（１４）
加速エネルギにおける効率ロス分エネルギ＝Ｔｎ×Ｎｎ×（［１−ｅｆｆｎ］／ｅｆｆｎ）×ｄｔ  ・・・（１５）
【０１４７】
このようにして、実操作解析部４２は、アクチュエータ６の動作状態、ここでは、エンジン６１やＭＧ６２の効率などに応じて実エネルギを補正し、例えば、運転者の実際の操作に応じた加速効率を考慮して、アクチュエータ６にて発生する実加速エネルギを算出する。また、実操作解析部４２は、上記のように、エンジン６１による加速とＭＧ６２による加速とで実エネルギを変えて、すなわち、アクチュエータ６の種類に応じて実エネルギを補正する。
【０１４８】
そして、区間評価部４６は、目標加速エネルギと上記のように加速効率を考慮して算出される実加速エネルギ等とを比較し評価することで、例えば、アクセル操作の操作具合を評価することができる。
【０１４９】
また一例として、区間評価部４６は、理想目標における目標加速効率ロスエネルギ（理想目標値に相当）と、運転者による実際の操作に応じた運転における実加速効率ロス分エネルギ（実操作値に相当）とを比較する。区間評価部４６は、例えば、目標加速効率ロスエネルギと実加速効率ロス分エネルギとの絶対値の差分や［実加速効率ロス分エネルギ／目標加速効率ロスエネルギ］などの割合（偏差）から第１評点を算出する。
【０１５０】
また、区間評価部４６は、例えば、図２１に例示するマップを用いて、実加速エネルギの総和（総加速エネルギ）と加速効率ロス分エネルギ（加速効率ロス）との割合（加速効率ロス／総加速エネルギ）から第２評点を算出する。
【０１５１】
そして、出力制御部４４は、区間評価部４６によるエネルギ単位での評価も含んだ区間評価の結果を評価結果出力装置５に出力する。評価結果出力装置５は、例えば、上記の第１評点と第２評点とをそれぞれ表示装置５２に表示してもよいし、平均を表示装置５２に表示してもよい。また、評価結果出力装置５は、例えば、第２評点に応じて、例えば、「加速時に加速効率を意識して加速しましょう」などのアドバイスをおこなってもよい。
【０１５２】
なお、区間評価部４６は、例えば、瞬時評価として、実際の加速効率ロス分エネルギが所定以上になった場合などに加速効率ロス分エネルギが過大である旨の評価を行うようにし、評価結果出力装置５は、これに応じて警告ランプ（不図示）を点灯するなどの通知をおこなってもよい。
【０１５３】
また、区間評価部４６は、目標減速エネルギと上記のように全減速エネルギにおける回生ブレーキ分、油圧ブレーキ分、エンジンブレーキ分の割合等に応じて補正した各実減速エネルギ等とを比較し評価することで、例えば、ブレーキ操作の操作具合を評価することができる。
【０１５４】
一例として、区間評価部４６は、理想目標の総目標減速エネルギにおける回生ブレーキ分目標減速エネルギ、油圧ブレーキ分目標減速エネルギ、エンジンブレーキ分目標減速エネルギと、総実減速エネルギにおける回生ブレーキ分実減速エネルギ、油圧ブレーキ分実減速エネルギ、エンジンブレーキ分実減速エネルギとをそれぞれ比較し、第３評点を算出する。このとき、区間評価部４６は、そもそも総実減速エネルギが総目標減速エネルギより大きい場合や第３評点が所定の閾値よりも小さい場合には、無駄な加速が多いものと評価し、評価結果出力装置５は、例えば、「加速を控えましょう」などのアドバイスを行う。
【０１５５】
また、区間評価部４６は、例えば、ＭＧ６２を備えないような車両１０において、油圧ブレーキ分実減速エネルギとエンジンブレーキ分実減速エネルギ（アクセル操作・ブレーキ操作共にＯＦＦのときの実減速エネルギ）との割合を比較することで、運転者による減速操作の評価を行うこともできる。区間評価部４６は、例えば、図２２に例示するマップを用いて、油圧ブレーキ分実減速エネルギ（油圧ブレーキ）とエンジンブレーキ分実減速エネルギ（エンブレ）との割合（エンブレ／油圧ブレーキ）から第４評点を算出する。評価結果出力装置５は、この第４評点に応じて運転者による減速操作の評価結果を通知する。これにより、運転評価装置６０１は、運転者の操作に応じた減速のうち、比較的に燃費向上につながりやすいエンジンブレーキによる減速を用いるように運転者に対して促すことができる。
【０１５６】
また、区間評価部４６は、例えば、ＭＧ６２を備える車両１０において、油圧ブレーキ分実減速エネルギと回生ブレーキ分実減速エネルギ、エンジンブレーキ分実減速エネルギとを比較する。この場合、実操作解析部４２は、例えば、燃費向上に寄与する減速に対する重み付けを相対的に大きくし、燃費悪化要因となる減速に対する重み付けを相対的に小さくする。言い換えれば、実操作解析部４２は、アクチュエータ６の種類に応じて実エネルギを補正する。例えば、実操作解析部４２は、油圧ブレーキ分実減速エネルギ、回生ブレーキ分実減速エネルギ、エンジンブレーキ分実減速エネルギのそれぞれに重みα、β、（１−α−β）を付けることで、アクチュエータ６の種類に応じて実減速エネルギを補正する。そして、実操作解析部４２は、典型的には、α＞β、例えば、α＝０．６、β＝０．２とした上で、例えば、図２３に例示するマップを用いて、油圧ブレーキ分実減速エネルギ（油圧）、回生ブレーキ分実減速エネルギ（回生ブレーキ）、エンジンブレーキ分実減速エネルギ（エンブレ回生）に重み付けを施した指標（［α×油圧＋β×回生ブレーキ＋（１−α−β）×エンブレ回生］／総減速エネルギ）から第５評点を算出する。
【０１５７】
そして、出力制御部４４は、区間評価部４６によるエネルギ単位での評価も含んだ区間評価の結果を評価結果出力装置５に出力する。例えば、評価結果出力装置５は、この第５評点に応じて運転者による減速操作の評価結果を通知する。これにより、運転評価装置６０１は、運転者の操作に応じた減速のうち、燃費向上に寄与する減速に対する評価を良くし、燃費悪化要因となる減速に対する評価を低くして、比較的に燃費向上につながりやすい減速を運転者に対して促すことができる。
【０１５８】
また、例えば、区間評価部４６は、総実減速エネルギにおける回生ブレーキ分実減速エネルギ、油圧ブレーキ分実減速エネルギ、エンジンブレーキ分実減速エネルギに対してそれぞれに閾値を設定し大小関係を評価してもよい。そして、評価結果出力装置５は、例えば、総実減速エネルギにおける回生ブレーキ分実減速エネルギ、油圧ブレーキ分実減速エネルギ、エンジンブレーキ分実減速エネルギの大小関係に応じて、図２４に例示するようなアドバイスを行うようにしてもよい。これにより、運転評価装置６０１は、例えば、無駄な加速が多い場合でも油圧ではなく回生でできるだけ回収できるようにアドバイスを行うことができる。
なお、図２５は、本実施形態において表示装置５２で表示する評価結果の一例である。
【０１５９】
したがって、運転評価装置６０１は、エネルギという単位で運転者の操作に応じた運転を評価することで、どの程度、理想目標と異なるのか等を運転者にイメージさせ易い形式で評価することができ、運転者に対して実際の操作に応じた運転と理想目標との比較をし易くさせることができる。そして、運転評価装置６０１は、アクチュエータ６の動作状態に応じて実エネルギを補正したり、アクチュエータ６の種類に応じて実エネルギを補正したりすることで、より詳細な運転の評価を行うことができる。
【０１６０】
なお、上述した本発明の実施形態に係る運転評価装置は、上述した実施形態に限定されず、特許請求の範囲に記載された範囲で種々の変更が可能である。
【０１６１】
例えば、上述したように、エネルギ単位での評価、アクチュエータ６の動作状態に応じた実エネルギの補正、アクチュエータ６の種類に応じた実エネルギの補正等は、区間評価だけでなく、瞬時評価、全体評価に適用してもよい。
【産業上の利用可能性】
【０１６２】
以上のように本発明に係る運転評価装置は、車両に用いられる種々の運転評価装置に適用して好適である。
【符号の説明】
【０１６３】
１、２０１、３０１、４０１、５０１、６０１    運転評価装置
２    状態検出装置
３    目標軌跡生成装置
４    評価演算装置
５    評価結果出力装置（通知装置）
６    アクチュエータ
１０    車両
【図１】
2012006485.tif 000003
【図２】
2012006485.tif 000004
【図３】
2012006485.tif 000005
【図４】
2012006485.tif 000006
【図５】
2012006485.tif 000007
【図６】
2012006485.tif 000008
【図７】
2012006485.tif 000009
【図８】
2012006485.tif 000010
【図９】
2012006485.tif 000011
【図１０】
2012006485.tif 000012
【図１１】
2012006485.tif 000013
【図１２】
2012006485.tif 000014
【図１３】
2012006485.tif 000015
【図１４】
2012006485.tif 000016
【図１５】
2012006485.tif 000017
【図１６】
2012006485.tif 000018
【図１７】
2012006485.tif 000019
【図１８】
2012006485.tif 000020
【図１９】
2012006485.tif 000021
【図２０】
2012006485.tif 000022
【図２１】
2012006485.tif 000023
【図２２】
2012006485.tif 000024
【図２３】
2012006485.tif 000025
【図２４】
2012006485.tif 000026
【図２５】
2012006485.tif 000027